(57)【特許請求の範囲】
【請求項１】
自己の複数の通信識別情報での待ち受けが可能な携帯端末装置であって、
通信相手毎にその相手先情報のほか、前記各通信識別情報に対応付けてその着信時にどのような内容で報知するかを示す報知情報を含むアドレス帳を記憶管理するアドレス帳記憶手段と、
前記複数の通信識別情報の中から現在の利用環境に応じてユーザ指定された任意の通信識別情報を現在有効な自己発信用の通信識別情報として選択する選択手段と、
前記複数の通信識別情報のうちその何れかの通信識別情報を宛先とする着信があった際に、この通信相手先に基づいて前記アドレス帳を検索し、前記選択手段によって現在有効な情報として選択されている通信識別情報対応の前記報知情報を特定し、この報知情報に基づいて着信報知を行う報知手段と、を具備し、
前記複数の通信識別情報のうちその何れかの通信識別情報を宛先とする着信があった際に、前記選択手段によって現在有効な通信識別情報が選択されているか否かを判別し、非選択の場合には、前記アドレス帳の内容に基づく着信報知を抑止する、
ことを特徴とする携帯端末装置。
【請求項２】
前記選択手段は、正規なユーザであることが認証されたことを条件に、複数の通信識別情報の中から現在有効な通信識別情報をユーザ操作によって任意に選択可能とする、
ようにしたことを特徴とする請求項１記載の携帯端末装置。
【請求項３】
前記アドレス帳は、前記通信識別情報に対応付けて報知情報及びその相手先情報を記憶管理し、このアドレス帳に対してその内容表示が指示された際に、前記選択手段によって現在有効な情報として選択されている通信識別情報に基づいて前記アドレス帳を検索し、当該通信識別情報対応の相手先情報を読み出して表示出力させる、
ようにしたことを特徴とする請求項１記載の携帯端末装置。
【請求項４】
自己の複数の通信識別情報での待ち受けが可能な携帯端末装置であって、
通信相手毎にその相手先情報のほか、前記各通信識別情報に対応付けてその着信時にどのような内容で報知するかを示す報知情報を含むアドレス帳を記憶管理するアドレス帳記憶手段と、
前記複数の通信識別情報の中から現在の利用環境に応じてユーザ指定された任意の通信識別情報を現在有効な自己発信用の通信識別情報として選択する選択手段と、
前記複数の通信識別情報のうちその何れかの通信識別情報を宛先とする着信があった際に、この通信相手先に基づいて前記アドレス帳を検索し、前記選択手段によって現在有効な情報として選択されている通信識別情報対応の前記報知情報を特定し、この報知情報に基づいて着信報知を行う報知手段と、を具備し、
前記選択手段は、正規なユーザであることが認証されたことを条件に、複数の通信識別情報の中から現在有効な通信識別情報をユーザ操作によって任意に選択可能であり、
前記アドレス帳に対してその内容表示が指示された際に、前記選択手段によって現在有効な通信識別情報が選択されているか否かを判別し、非選択の場合には、アドレス帳の内容表示を抑止する、
ようにしたことを特徴とする携帯端末装置。
【請求項５】
自己の複数の通信識別情報での待ち受けが可能な携帯端末装置であって、
予めアラーム時刻として設定されている設定時刻毎に、前記各通信識別情報に対応付けてその設定時刻の到達時にどのような内容で報知するかを示す報知情報を記憶管理する情報記憶手段と、
前記複数の通信識別情報の中から現在の利用環境に応じてユーザ指定された任意の通信識別情報を現在有効な自己発信用の通信識別情報として選択する選択手段と、
前記設定時刻に到達した際に、この設定時刻対応の前記報知情報の中から前記選択手段によって現在有効な情報として選択されている通信識別情報対応の前記報知情報を特定し、この報知情報に基づいてアラーム報知を行う報知手段と、
を具備したことを特徴とする携帯端末装置。
【請求項６】
前記情報記憶手段は、予めスケジュール時刻として設定されている設定時刻毎に、スケジュール内容を記憶管理すると共に、前記各通信識別情報に対応付けてその設定時刻の到達時にどのような内容のメッセージを出力するかを示す報知情報を記憶管理するスケジュール帳であり、
前記報知手段は、設定時刻に到達した際に、この設定時刻に基づいてスケジュール帳を検索することによって該当するメッセージ内容を出力する、
ようにしたことを特徴とする請求項５記載の携帯端末装置。
【請求項７】
コンピュータに対して、
自己の複数の通信識別情報での待ち受けが可能な機能と、
通信相手毎にその相手先情報のほか、前記各通信識別情報に対応付けてその着信時にどのような内容で報知するかを示す報知情報を含むアドレス帳を記憶管理する機能と、
前記複数の通信識別情報の中から現在の利用環境に応じてユーザ指定された任意の通信識別情報を現在有効な自己発信用の通信識別情報として選択する機能と、
前記複数の通信識別情報のうちその何れかの通信識別情報を宛先とする着信があった際に、この通信相手先に基づいて前記アドレス帳を検索し、現在有効な情報として選択されている通信識別情報対応の前記報知情報を特定し、この報知情報に基づいて着信報知を行う機能と、
前記複数の通信識別情報のうちその何れかの通信識別情報を宛先とする着信があった際に、前記選択する機能によって現在有効な通信識別情報が選択されているか否かを判別し、非選択の場合には、前記アドレス帳の内容に基づく着信報知を抑止する機能と、
を実現させるためのプログラム。
【請求項８】
コンピュータに対して、
自己の複数の通信識別情報での待ち受けが可能な機能と、
予めアラーム時刻として設定されている設定時刻毎に、前記各通信識別情報に対応付けてその設定時刻の到達時にどのような内容で報知するかを示す報知情報を記憶管理する機能と、
前記複数の通信識別情報の中から現在の利用環境に応じてユーザ指定された任意の通信識別情報を現在有効な自己発信用の通信識別情報として選択する機能と、
前記設定時刻に到達した際に、この設定時刻対応の前記報知情報の中から現在有効な情報として選択されている通信識別情報に対応付けられている前記報知情報を特定し、この報知情報に基づいてアラーム報知を行う機能と、
を実現させるためのプログラム。
【請求項９】
コンピュータに対して、
自己の複数の通信識別情報での待ち受けが可能な機能と、
通信相手毎にその相手先情報のほか、前記各通信識別情報に対応付けてその着信時にどのような内容で報知するかを示す報知情報を含むアドレス帳を記憶管理する機能と、
前記複数の通信識別情報の中から現在の利用環境に応じてユーザ指定された任意の通信識別情報を現在有効な自己発信用の通信識別情報として選択する機能と、
前記複数の通信識別情報のうちその何れかの通信識別情報を宛先とする着信があった際に、この通信相手先に基づいて前記アドレス帳を検索し、現在有効な情報として選択されている通信識別情報対応の前記報知情報を特定し、この報知情報に基づいて着信報知を行う機能と、
前記選択する機能は、正規なユーザであることが認証されたことを条件に、複数の通信識別情報の中から現在有効な通信識別情報をユーザ操作によって任意に選択可能であり、
前記アドレス帳に対してその内容表示が指示された際に、前記選択する機能によって現在有効な通信識別情報が選択されているか否かを判別し、非選択の場合には、アドレス帳の内容表示を抑止する機能と、
を実現させるためのプログラム。
【発明の詳細な説明】
【技術分野】
【０００１】
この発明は、報知機能を備え、かつ自己の複数の通信識別情報での待ち受けが可能な携帯端末装置及びプログラムに関する。
【背景技術】
【０００２】
従来、複数の電話番号での同時待ち受けが可能な携帯電話装置としては、例えば、複数の電話番号をビジネス用とプライベート用に使い分けている場合に、誰からの着信かを報知する着信報知として、勤務中に私的な着信があったときには仮の着信表示を可能とするために、複数の電話番号毎に設けられているアドレス帳に、相手先毎にその正規な識別情報と仮の識別情報とを記憶させ、一定の条件下で正規な相手先識別情報を表示させたり、仮の相手先識別情報を表示させるようにした携帯電話装置が知られている（特許文献１参照）。
【特許文献１】特開平２００５−１８４５３９号公報
【発明の開示】
【発明が解決しようとする課題】
【０００３】
すなわち、上述した特許文献の技術は、誰からの着信かを報知する場合に、着信時点での時間帯、地域に応じて正規な相手先識別情報を表示させたり、仮の相手先識別情報を表示させることによって勤務中に私的な着信（例えば、“ひろみ”からの電話）があった際には仮の着信表示として、例えば、“ひろし”を表示することが可能となるが、実際には同じ地域を同じ時間帯にビジネスとして出向く場合とプライベートとして出向く場合があるなど、識別情報の切り替え条件を時間帯、地域とするだけでは、実情に対応できない場合があった。
一方、携帯電話装置には着信報知以外にも、各種の報知機能、例えば、目覚まし機能（時刻アラーム機能）、スケジュールアラーム機能などが存在しているが、その報知の仕方は、予め設定されている報知方法で固定されているため、報知方法を変える場合には、その都度、設定内容を変更する必要があった。
【０００４】
第１及び第２の発明の課題は、自己の複数の通信識別情報での待ち受け状態において何れかの通信識別情報での着信時にその相手先に対応付けられている仕方で着信報知を行う場合に、現在の利用環境によって任意にユーザ指定された通信識別情報が現在有効な自己発信用の通信識別情報として選択されていれば、この通信識別情報に応じて着信報知の仕方を変更できるようにすることである。
第３の発明の課題は、予めアラーム時刻として設定されている設定時刻の到達時にその設定時刻に対応付けられている仕方でアラーム報知を行う場合に、自己の複数の通信識別情報の中から現在の利用環境によって任意にユーザ指定された通信識別情報が現在有効な自己発信用の通信識別情報として選択されていれば、この通信識別情報に応じてアラーム報知の仕方を変更できるようにすることである。
【課題を解決するための手段】
【０００５】
請求項１記載の発明（第１の発明）は、自己の複数の通信識別情報での待ち受けが可能な携帯端末装置であって、通信相手毎にその相手先情報のほか、前記各通信識別情報に対応付けてその着信時にどのような内容で報知するかを示す報知情報を含むアドレス帳を記憶管理するアドレス帳記憶手段と、前記複数の通信識別情報の中から現在の利用環境に応じてユーザ指定された任意の通信識別情報を現在有効な自己発信用の通信識別情報として選択する選択手段と、前記複数の通信識別情報のうちその何れかの通信識別情報を宛先とする着信があった際に、この通信相手先に基づいて前記アドレス帳を検索し、前記選択手段によって現在有効な情報として選択されている通信識別情報対応の前記報知情報を特定し、この報知情報に基づいて着信報知を行う報知手段とを具備し、前記複数の通信識別情報のうちその何れかの通信識別情報を宛先とする着信があった際に、前記選択手段によって現在有効な通信識別情報が選択されているか否かを判別し、非選択の場合には、前記アドレス帳の内容に基づく着信報知を抑止する、ことを特徴とする。
更に、コンピュータに対して、上述した請求項１記載の発明に示した主要機能を実現させるためのプログラムを提供する（請求項７記載の発明）。
【０００６】
なお、「通信識別情報」は、加入番号としての自己の電話番号あるいは電子メールアドレスであり、複数の通信識別情報での待ち受け可能な状態であるが、発信時には、何れかの通信識別情報を選択するようにしている。「現在の利用環境」は、例えば、勤務時間内かプライベート時間内か、会社内か会社外かなどであり、複数の通信識別情報を現在の利用環境に応じて適宜選択することによって使い分けるようにしている（以下、同様）。
【０００７】
なお、上述した請求項１記載の発明は次のようなものであってもよい。
前記選択手段は、正規なユーザであることが認証されたことを条件に、複数の通信識別情報の中から現在有効な通信識別情報をユーザ操作によって任意に選択可能とする（請求項２記載の発明）。
【０００８】
前記アドレス帳は、前記通信識別情報に対応付けて報知情報及びその相手先情報を記憶管理し、このアドレス帳に対してその内容表示が指示された際に、前記選択手段によって現在有効な情報として選択されている通信識別情報に基づいて前記アドレス帳を検索し、当該通信識別情報対応の相手先情報を読み出して表示出力させる（請求項３記載の発明）。
請求項４記載の発明（第２の発明）は、自己の複数の通信識別情報での待ち受けが可能な携帯端末装置であって、通信相手毎にその相手先情報のほか、前記各通信識別情報に対応付けてその着信時にどのような内容で報知するかを示す報知情報を含むアドレス帳を記憶管理するアドレス帳記憶手段と、前記複数の通信識別情報の中から現在の利用環境に応じてユーザ指定された任意の通信識別情報を現在有効な自己発信用の通信識別情報として選択する選択手段と、前記複数の通信識別情報のうちその何れかの通信識別情報を宛先とする着信があった際に、この通信相手先に基づいて前記アドレス帳を検索し、前記選択手段によって現在有効な情報として選択されている通信識別情報対応の前記報知情報を特定し、この報知情報に基づいて着信報知を行う報知手段と、を具備し、前記選択手段は、正規なユーザであることが認証されたことを条件に、複数の通信識別情報の中から現在有効な通信識別情報をユーザ操作によって任意に選択可能であり、前記アドレス帳に対してその内容表示が指示された際に、前記選択手段によって現在有効な通信識別情報が選択されているか否かを判別し、非選択の場合には、アドレス帳の内容表示を抑止する。
更に、コンピュータに対して、上述した請求項４記載の発明に示した主要機能を実現させるためのプログラムを提供する（請求項９記載の発明）。
【０００９】
請求項５記載の発明（第３の発明）は、自己の複数の通信識別情報での待ち受けが可能な携帯端末装置であって、予めアラーム時刻として設定されている設定時刻毎に、前記各通信識別情報に対応付けてその設定時刻の到達時にどのような内容で報知するかを示す報知情報を記憶管理する情報記憶手段と、前記複数の通信識別情報の中から現在の利用環境に応じてユーザ指定された任意の通信識別情報を現在有効な自己発信用の通信識別情報として選択する選択手段と、前記設定時刻に到達した際に、この設定時刻対応の前記報知情報の中から前記選択手段によって現在有効な情報として選択されている通信識別情報対応の前記報知情報を特定し、この報知情報に基づいてアラーム報知を行う報知手段とを具備したことを特徴とする。
更に、コンピュータに対して、上述した請求項５記載の発明に示した主要機能を実現させるためのプログラムを提供する（請求項８記載の発明）。
【００１０】
なお、上述した請求項５記載の発明は次のようなものであってもよい。
前記情報記憶手段は、予めスケジュール時刻として設定されている設定時刻毎に、スケジュール内容を記憶管理すると共に、前記各通信識別情報に対応付けてその設定時刻の到達時にどのような内容のメッセージを出力するかを示す報知情報を記憶管理するスケジュール帳であり、前記報知手段は、設定時刻に到達した際に、この設定時刻に基づいてスケジュール帳を検索することによって該当するメッセージ内容を出力する（請求項６記載の発明）。
【発明の効果】
【００１１】
請求項１記載の発明によれば、自己の複数の通信識別情報で待ち受け可能な状態であり、かつ、アドレス帳内に通信相手毎にその相手先情報のほか、各通信識別情報に対応付けてその着信時にどのような内容で報知するかを示す報知情報が記憶管理されている状態において、着信時にその通信相手先に応じた仕方で着信報知を行う場合に、この通信相手先に基づいてアドレス帳を検索し、現在有効な自己発信用の情報として選択されている通信識別情報に対応する報知情報に基づいて着信報知を行うようにしたから、現在の利用環境に応じて適宜使い分けられている通信識別情報に応じて着信報知の仕方を変更することができ、着信時の利用環境に応じた最適な着信報知が可能となる。したがって、例えば、着信時にその相手先が同一人物であってもビジネス用の通信識別情報が選択されていれば、ビジネス用の着信報知を行い、プライベート用の通信識別情報が選択されていれば、プライベート用の着信報知を行うことができる。
また、着信時に現在有効な通信識別情報が選択されているか否かを判別し、非選択の場合には、アドレス帳の内容に基づく着信報知を抑止するようにしたから、第三者による通信識別情報の選択を禁止することによって、例えば、着信時にその相手先の名前、相手先の画像などの個人情報を表示するような場合でも、ビジネス用、プライベート用の何れの着信報知も抑止することができ、相手先の個人情報を確実に保護することが可能となる。
【００１２】
請求項２記載の発明によれば、上述した請求項１記載の発明と同様の効果を有するほか、正規なユーザであることが認証されたことを条件に、複数の通信識別情報の中から現在有効な通信識別情報をユーザ操作によって任意に選択可能としたから、例えば、複数の通信識別情報をビジネス用とプライベート用に使い分けている場合、第三者によって着信報知の仕方をビジネス用からプライベート用に変更されることを防ぐことができる。
【００１４】
請求項３記載の発明によれば、上述した請求項１記載の発明と同様の効果を有するほか、アドレス帳は、通信識別情報に対応付けて報知情報及びその相手先情報を記憶管理し、このアドレス帳に対してその内容表示が指示された際に、現在有効な情報として選択されている通信識別情報に基づいてアドレス帳を検索し、当該通信識別情報対応の相手先情報を読み出して表示出力させるようにしたから、１つのアドレス帳内にビジネス用の相手先情報とプライベート用の相手先情報とを設定しておいても、現在の利用環境に応じてビジネス用あるいはプライベート用の相手先情報を切り替え表示させることができる。
【００１５】
請求項４記載の発明によれば、自己の複数の通信識別情報で待ち受け可能な状態であり、かつ、アドレス帳内に通信相手毎にその相手先情報のほか、各通信識別情報に対応付けてその着信時にどのような内容で報知するかを示す報知情報が記憶管理されている状態において、着信時にその通信相手先に応じた仕方で着信報知を行う場合に、この通信相手先に基づいてアドレス帳を検索し、現在有効な自己発信用の情報として選択されている通信識別情報に対応する報知情報に基づいて着信報知を行うようにしたから、現在の利用環境に応じて適宜使い分けられている通信識別情報に応じて着信報知の仕方を変更することができ、着信時の利用環境に応じた最適な着信報知が可能となる。したがって、例えば、着信時にその相手先が同一人物であってもビジネス用の通信識別情報が選択されていれば、ビジネス用の着信報知を行い、プライベート用の通信識別情報が選択されていれば、プライベート用の着信報知を行うことができる。
また、正規なユーザであることが認証されたことを条件に、複数の通信識別情報の中から現在有効な通信識別情報をユーザ操作によって任意に選択可能であり、アドレス帳に対してその内容表示が指示された際に、現在有効な通信識別情報が選択されているか否かを判別し、非選択の場合には、アドレス帳の内容表示を抑止するにしたから、第三者による通信識別情報の選択を禁止することによってアドレス帳の閲覧を抑制することができ、相手先の個人情報を確実に保護することが可能となる。
【００１６】
請求項５記載の発明（第３の発明）によれば、自己の複数の通信識別情報で待ち受け可能な状態であり、かつ、予めアラーム時刻として設定されている設定時刻毎に各通信識別情報に対応付けてその設定時刻の到達時にどのような内容で報知するかを示す報知情報が記憶管理されている状態において、設定時刻に到達した際に、この設定時刻に応じた仕方でアラーム報知を行う場合に、現在有効な自己発信用の情報として選択されている通信識別情報に対応する報知情報に基づいてアラーム報知を行うようにしたから、現在の利用環境に応じて適宜使い分けられている通信識別情報に応じてアラーム報知の仕方を変更することができ、設定時刻に到達した際の利用環境に応じた最適なアラーム報知が可能となる。したがって、例えば、アラーム報知時に同一の設定時刻であってもビジネス用の通信識別情報が選択されていれば、ビジネス用のアラーム報知を行い、プライベート用の通信識別情報が選択されていれば、プライベート用のアラーム報知を行うことができる。
【００１７】
請求項６記載の発明によれば、上述した請求項５記載の発明と同様の効果を有するほか、予めスケジュール時刻として設定されている設定時刻毎に、スケジュール内容を記憶管理すると共に、各通信識別情報に対応付けてその設定時刻の到達時にどのような内容のメッセージを出力するかを示す報知情報を記憶管理するスケジュール帳を設け、設定時刻に到達した際に、この設定時刻に基づいてスケジュール帳を検索することによって該当するメッセージ内容を出力するようにしたから、設定時刻に出力されるメッセージ内容を通信識別情報の選択に応じて変更することができる。
【発明を実施するための最良の形態】
【００１８】
以下、図１〜図８を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、通話機能、電子メール機能などのほか、デュアル電話番号機能、アドレス帳管理機能、スケジュール管理機能が備えられている。デュアル電話番号機能は、自己の複数の通信識別情報として、２つの加入者番号（電話番号）を使用可能とした機能であり、この実施例では２つの電話番号によって待ち受け可能であるほか、電話発信時には現在の利用環境に応じてユーザが何れかの電話番号を有効な番号として選択的に切り替えて電話発信を行うようにしている。
【００１９】
アドレス帳管理機能は、通信相手毎にその相手先の名前、電話番号、メールアドレスなどの相手先情報をアドレス帳データとして記憶管理するもので、この実施例では、各電話番号での待ち受け状態において何れかの電話番号での着信時に当該アドレス帳を参照することによってその相手先に対応付けられている仕方で着信報知を行うようにしている。また、スケジュール管理機能は、予めアラーム時刻として設定されている設定時刻毎に、スケジュール内容をスケジュール帳データとして記憶管理するもので、この実施例では、設定時刻の到達時に当該スケジュール帳を参照することによってその設定時刻に対応付けられている仕方でアラーム報知を行うようにしている。
【００２０】
ＣＰＵ１は、記憶部２内の各種のプログラムに応じてこの携帯電話装置の全体動作を制御する中核的な中央演算処理装置であり、このメインＣＰＵ１のほか、この携帯電話装置には、機能別に複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図４〜図７に示す動作手順に応じて本実施例を実現するためのプログラムが格納されている。また、記憶部２のデータ領域には、後述するアドレス帳２１、スケジュール帳２２などが記憶されている。記録メディア３は、着脱自在な可搬型メモリで、画像データ、各種のデータ、プログラムなどを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成されている。
【００２１】
電話通信部５は、無線部を構成するアンテナ５Ａに接続された送受信部（ベースバンド部）の受信側から信号を取り込んで受信ベースバンド信号に復調したのちに、音声制御部６を介して音声スピーカ７から音声出力させる。また、電話通信部５は、音声マイク８から入力された音声データを音声制御部６から取り込み、送信ベースバンド信号に符号化したのちに送受信部の送信側に与えられてアンテナ５Ａから発信出力させる。一方、電子メール機能、インターネット接続機能によって電話通信部５を介して受信取得した表示データは、表示制御部９を介してＬＣＤ（液晶表示装置）などを備えたメイン表示部１０に与えられて表示出力される。
【００２２】
メイン表示部１０は、文字情報、画像データ、各種のメッセージなどを高品位に表示し、装置本体の背面側に設けられたサブ表示部１１は、現在日時、簡易なメッセージ、アイコンなどを表示する。キー操作部１２は、ダイヤル入力、文字入力、コマンド入力などを行うもので、ＣＰＵ１は、キー操作部１２からのキー入力信号に応じた処理を実行する。報知部１３は、着信報知などの報知用のスピーカ、ＬＥＤ(発光ダイオード)、振動モータを備え、電話・メール着信時に駆動されて着信報知を行うほか、アラーム報知時にも駆動される。
【００２３】
カードＩＦ（インターフェイス）部１４は、２枚のＵＩＭ（User Identity Module）カード１５、１６が着脱可能に装着されるもので、ＵＩＭカード１５、１６に記録されている加入者情報をＣＰＵ１に与える。このＵＩＭカード１５、１６は、基本的にはＳＩＭ（Subscriber Identity Module）カードと同様のＩＣカードであり、加入者情報として加入者登録番号（識別情報）、加入者電話番号、通話料金などが記録されているもので、ＣＰＵ１は、ＵＩＭカード１５、１６に書き込まれている各加入者番号（電話番号）のうち、その何れかの電話番号を有効な番号として選択的に切り替えて電話発着信を行うようにしている。
【００２４】
なお、この実施例では、ＵＩＭカード１５には電話番号（１）が記録され、ＵＩＭカード１６には電話番号（２）が記録されており、このＵＩＭカード１５、１６から外部供給された２つの電話番号（１）、（２）を取得して記憶部２に記憶するようにしているが、この２つの電話番号を記憶部２に固定的に内部記憶しておいてもよく、また、一方の電話番号を固定的に内部記憶させ、他方の電話番号をＵＩＭカード１５あるいは１６から読み出すようにしてもよい。
【００２５】
図２は、アドレス帳２１のデータ構成（相手先レコードの構成）を示した図である。
アドレス帳２１は、通信相手毎にその「名前」、「電話番号」、「メールアドレス」、「住所」、「画像」、「着信報知（通話用）」、「着信報知（Ｅメール：電子メール用）」、「着信報知（Ｃメール：ショートメール用）」などの項目をアドレス帳データとして記憶管理する構成となっている。そして、「名前」、「画像」、「着信報知」の各項目は、２つに分割されており、各２分割項目には、自己の各電話番号の種別情報（１）、（２）がセットされており、この種別情報（１）、（２）に対応して「名前」、「画像」、「着信報知（通話用）」、「着信報知（Ｅメール）」、「着信報知（Ｃメール）」の各項目データが着信時の報知内容（報知情報）として記憶されている。
【００２６】
例えば、「名前」の項目において、電話番号種別（１）に対応して“富田”、電話番号種別（２）に対応して“ｔｏｍｍｙ”がセットされている。「画像」の項目は、着信報知時に表示される画像で、電話番号種別（１）に対応して相手先（富田氏）の“顔画像”がセットされ、電話番号種別（２）に対応して任意の“ロボット画像”がセットされている。また、「着信報知（通話用）」、「着信報知（Ｅメール」、「着信報知（Ｃメール）」の各項目は、電話着信（通話着信）時にどのような内容で報知を行うかを示すもので、「着信報知（通話用）」の項目において、電話番号種別（１）に対応して“メロディ音（Ａ）”がセットされ、電話番号種別（２）に対応して“サイレント”がセットされている。また、「着信報知（Ｅメール」の項目において、電話番号種別（１）に対応して“メロディ音（Ｄ）”がセットされ、電話番号種別（２）に対応して“バイブレータ”がセットされている。同様に、「着信報知（Ｃメール）」の項目において、電話番号種別（１）に対応して“サイレント”がセットされ、電話番号種別（２）に対応して“バイブレータ”がセットされている。
【００２７】
図３は、スケジュール帳２２のデータ構成（スケジュールレコードの構成）を示した図である。
スケジュール帳２２は、予め設定されているスケジュール毎に、その「開始時刻」、「終了時刻」、「アラーム音」、「メッセージ」、「スケジュール内容」の各項目をスケジュール帳データとして記憶管理する構成となっている。そして、「アラーム音」、「メッセージ」の各項目は２つに分割されており、各分割項目には、上述した電話番号を示す電話番号種別（１）、（２）がセットされており、この電話番号種別（１）、（２）対応して上述の「アラーム音」、「メッセージ」の項目データがアラーム報知内容（報知情報）として記憶されている。
【００２８】
「アラーム音」の項目には、アラーム報知音としてのメロディ音あるいはサイレント音がセットされるもので、例えば、電話番号種別（１）に対応して“メロディ音（Ａ）”がセットされ、電話番号種別（２）に対応して“メロディ音（Ｅ）”がセットされている。また、「メッセージ」の項目において、電話番号種別（１）に対応して“メッセージ（Ａ）”がセットされ、電話番号種別（２）に対応して“メッセージ（Ｂ）”がセットされている。
【００２９】
次にこの実施例における携帯電話装置の動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３０】
図４〜図７は、自己の通信識別情報を電話番号とした場合における携帯電話装置の全体動作の概要を示したフローチャートである。
先ず、ＣＰＵ１は、電話通信部５を作動させてアンテナから電波を発信させながら近辺の基地局との間で位置登録応答を行うことによって電波が最も強い基地局の位置を交換機側のデータベースに自己の現在位置として各電話番号毎に登録する（ステップＳ１）。そして、パスワードの入力を要求するメッセージを表示出力させたのち（ステップＳ２）、これに応答してパスワードが入力されると（ステップＳ３）、入力パスワードと予め登録されているパスワードとの照合を行う（ステップＳ４）。
【００３１】
その結果、パスワードの不一致が検出されて照合ＮＧの場合には（ステップＳ４でＮＯ）、待ち受け状態に移るが（ステップＳ７）、正規なユーザであることを認証した場合には（ステップＳ４でＹＥＳ）、自己の複数の電話番号をリスト表示させる（ステップＳ５）。このリスト画面の中からユーザが現在の利用環境（例えば、ビジネスかプライベートか）に応じて何れかの電話番号を選択すると、ＣＰＵ１は、選択された電話番号を現在有効な発信用の電話番号として設定したのち（ステップＳ６）、待ち受け画面を表示する（ステップＳ７）。この待ち受け状態において、電話着信の有無をチェックしたり（ステップＳ８）、何らかの操作有無をチェックしたり（ステップＳ９）、現在時刻を取得して正分（００秒）かをチェックする（ステップＳ１０）。
【００３２】
いま、電話着信を検出すると（ステップＳ８でＹＥＳ）、発信用として現在有効な電話番号が選択設定されているか否かを調べるが（ステップＳ１１）、電話番号の選択は、上述のパスワード照合で正規なユーザであると認証された場合に行われるものであり、照合ＮＧのときには、未選択状態のままとなっている。いま、正規なユーザによって電話番号が選択されている場合には（ステップＳ１１でＹＥＳ）、アドレス帳２１に基づいた着信報知が行われるが（ステップＳ１２〜Ｓ１９）、照合ＮＧの場合には、第三者の可能性が高いためにステップＳ２０に移り、電話着信に応答して基本的な着信報知が行われる。つまり、アドレス帳２１に基づいた着信報知は行われず、基本的な着信報知が行われる。
【００３３】
上述のアドレス帳２１に基づいた着信報知は、次のようにして行われる。先ず、着信内容から通信相手先（発信元）の電話番号を取得し（ステップＳ１２）、この相手先の電話番号をキーとしてアドレス帳２１を検索して該当する相手先レコードを読み出す（ステップＳ１３）。そして、この相手先レコード内の各２分割項目（報知項目）から現在選択されている電話番号種別対応の項目データ（報知情報）を読み出す（ステップＳ１４）。すなわち、図２で例示したアドレス帳２１において、現在選択されている電話番号種別が（１）であれば、「着信報知（通話用）」の項目から“メロディ音（Ａ）”を読み出し、現在選択されている電話番号種別が（２）であれば、「着信報知（通話用）」の項目から“サイレント”を読み出す。そして、この選択番号種別対応の項目データ（報知情報）に基づいて報知部１３を駆動させてスピーカからメロディ音（Ａ）を発生させたり、単一音を発生させて着信報知を行う（ステップＳ１５）。
【００３４】
そして、相手先レコード内に「名前」の項目があれば（ステップＳ１６でＹＥＳ）、現在選択されている電話番号種別対応の「名前」を読み出して表示出力させ（ステップＳ１７）、また、相手先レコード内に「画像」の項目があれば（ステップＳ１８でＹＥＳ）、現在選択されている電話番号種別対応の「画像」を読み出して表示出力させる（ステップＳ１９）。例えば、現在選択されている電話番号種別が（１）であれば、「名前」の項目から“富田”が読み出され、「画像」の項目から相手先（富田氏）の“顔画像”が読み出されて表示出力される。また、現在選択されている電話番号種別が（２）であれば、「名前」の項目から“ｔｏｍｍｙ”が読み出され、「画像」の項目から“ロボット画像”が読み出されて表示出力される。
【００３５】
図８（Ａ）は、現在選択されている電話番号種別が（１）の場合の着信画面を示し、相手先（発信元）の名前として“富田”と共に、その顔画像が待ち受け画面に代わって表示される。（Ｂ）は、現在選択されている電話番号種別が（２）の場合の着信画面を示し、相手先（発信元）の名前として“ｔｏｍｍｙ”と共に、“ロボット画像”が待ち受け画面に代わって表示される。なお、この着信画面内に「電話番号」、「メールアドレス」、「住所」などの情報も含めて表示するようにしてもよい。このような着信報知を確認したユーザが通話開始ボタン（図示せず）をオフフック操作すると（ステップＳ２１）、これに応答して相手先との回線接続が確立され、以下、接続を遮断するオンフック操作が行われるまで通話可能状態となる（ステップＳ２２）。そして、オンフック操作に応答して上述のステップＳ７に戻り、待ち受け状態となる。
【００３６】
一方、待ち受け状態において何らかの操作が行われた場合に（ステップＳ９でＹＥＳ）、それが発呼操作であるかを調べる（図５のステップＳ２３）。この発呼操作は、相手先電話番号を入力したのちに電話開始ボタン（図示せず）をオフフック操作することによって行われるが、相手先電話番号はテンキーから直接入力してもアドレス帳２１を利用して入力するようにしてもよい。ＣＰＵ１は、発呼操作を検出すると、発信用として現在有効な電話番号が選択設定されているか否かを調べ（ステップＳ２４）、有効番号が選択されていれば、この電話番号を発信元として、相手先電話番号に対しダイヤル発信を行う（ステップＳ３１）。そして、当該相手先との回線接続が確立されたのち、その接続が遮断されると（ステップＳ３２）、図４のステップＳ４に戻り、待ち受け状態となる。
【００３７】
また、発信用として現在有効な電話番号が選択されていなければ（ステップＳ２４でＮＯ）、再度、パスワード入力を要求するメッセージを表示出力させる（ステップＳ２５）。以下、同様に、パスワードが入力されると（ステップＳ２６）、入力パスワードと登録パスワードとを照合し、その結果、パスワードの不一致が検出されて照合ＮＧの場合には（ステップＳ２７でＮＯ）、エラーメッセージを表示出力させたのちに（ステップＳ２８）、待ち受け状態に移るが（図４のステップＳ７）、正規なユーザであれば（ステップＳ２７でＹＥＳ）、自己の各電話番号をリスト表示させる（ステップＳ２９）。このリスト画面の中から利用環境に応じて何れかの電話番号が選択されると、ＣＰＵ１は、この電話番号を現在有効な発信用の電話番号として設定する（ステップＳ３０）。そして、今回新たに選択した電話番号を発信元として、相手先電話番号に対しダイヤル発信を行う（ステップＳ３１）。
【００３８】
ユーザ操作が発信用の電話番号の変更が指示する変更操作であれば（ステップＳ３３でＹＥＳ）、図４のステップＳ２に戻り、上述と同様に電話番号の選択設定処理が行われる。また、アドレス帳表示以外の指示操作であれば（ステップＳ３４でＮＯ）、その指示操作に対応する他の処理として、例えば、アドレス帳設定処理、スケジュール帳設定処理、スケジュール帳表示処理などが行われる（ステップＳ３５）。また、アドレス帳表示が指示された場合には（ステップＳ３４でＹＥＳ）、発信用として現在有効な電話番号が選択設定されているか否かを調べ（図６のステップＳ３６）、有効番号が選択されていれば、アドレス帳２１の各相手先レコードのうちで、当該有効番号として選択されている電話番号種別に対応する「名前」をそれぞれ読み出し（ステップＳ３７）、これらの「名前」をアドレス帳一覧として表示出力させる（ステップＳ３８）。図８（Ａ）は、アドレス帳２１内の「名前」を一覧表示した画面を示し、例えば、ビジネス用としての電話番号種別（１）に対応する「名前」を一覧表示した画面である。
【００３９】
このような名前一覧画面が表示されている状態において、任意の「名前」が個別選択されたかをチェックしたり（ステップＳ３９）、戻り操作の有無をチェックし（ステップＳ４０）、何れの操作が行われるまでステップＳ３８に戻る。ここで、戻り操作が行われたときには、図４のステップＳ７に戻って待ち受け状態となるが、名前一覧画面の中から任意の「名前」が個別選択された場合には（ステップＳ３９でＹＥＳ）、選択された相手先のレコードの各項目データを読み出すと共に、電話番号種別対応の各項目データ、つまり、「名前」、「画像」、「着信報知」の各項目データについては、現在有効番号として選択されている電話番号種別に対応付する各項目データを読み出し（ステップＳ４１）、これらをアドレス帳データとして一覧表示させる（ステップＳ４２）。
【００４０】
図８（Ｂ）、（Ｃ）は、アドレス帳データの一覧画面を示したもので、通信相手毎にその「名前」、「電話番号」、「メールアドレス」、「住所」、「画像」、「着信報知（通話用）」、「着信報知（Ｅメール：電子メール用）」、「着信報知（Ｃメール：ショートメール用）」などの項目データが一覧表示される。この場合、「名前」、「画像」、「着信報知」の各項目データは、現在有効番号として選択されている電話番号種別に対応するもので、（Ｂ）は、ビジネス用としての電話番号種別（１）に対応するアドレス帳データの一覧画面であり、（Ｃ）は、プライベート用としての電話番号種別（２）に対応するアドレス帳データの一覧画面である。この一覧画面が表示されている状態において、戻る操作が行われると（ステップＳ４３）、上述した名前一覧画面に戻る（ステップＳ３７、Ｓ３８）。
【００４１】
また、アドレス帳表示が指示された際に、有効番号が選択されていなければ（ステップＳ３６でＮＯ）、再度、パスワード入力を要求するメッセージを表示出力させる（ステップＳ４４）。以下、同様に、パスワードが入力されると（ステップＳ４５）、入力パスワードと登録パスワードとを照合し、その結果、パスワードの不一致が検出されて照合ＮＧの場合には（ステップＳ４６でＮＯ）、エラーメッセージを表示出力させたのちに（ステップＳ４７）、待ち受け状態に移るが（図４のステップＳ７）、正規なユーザであれば（ステップＳ４６でＹＥＳ）、自己の各電話番号をリスト表示させ（ステップＳ４８）、その中からユーザが現在の利用環境に応じて何れかの電話番号を選択すると、ＣＰＵ１は、この電話番号は現在有効な発信用の電話番号として設定する（ステップＳ４９）。これによって有効番号が選択されると、上述のステップＳ３７に移り、以下、同様の動作が行われる。
【００４２】
他方、現在時刻が正分（００秒）であれば（図４のステップＳ１０でＹＥＳ）、図７のステップＳ５０に移り、現在時刻に基づいてスケジュール帳２２の各設定時刻を参照し、現在時刻が「開始時刻」〜「終了時刻」に該当するか、つまり、アラーム時刻に達したかをチェックし、アラーム時刻に達したレコードが無ければ（ステップＳ５１でＮＯ）、図４のステップＳ７に戻って待ち受け状態となるが、アラーム時刻に達したレコードが有れば（ステップＳ５１でＹＥＳ）、該当レコードを読み出すと共に（ステップＳ５２）、その「アラーム音」項目において現在有効番号として選択されている電話番号種別対応の分割項目（報知項目）を選択し（ステップＳ５３）、この分割項目のデータ（報知情報）に基づいて報知部１３を駆動させてアラーム音（メロディ音／サイレント音）を発生出力させる（ステップＳ５４）。そして、該当レコード内の「メッセージ」項目において、現在有効番号として選択されている電話番号種別対応の分割項目を選択し（ステップＳ５５）、この分割項目内のメッセージ（報知情報）を表示出力させる（ステップＳ５６）。そして、図４のステップＳ７に戻り、待ち受け状態となる。
【００４３】
以上のように、この実施例においては、自己の複数の電話番号で待ち受け可能な状態であると共に、アドレス帳２１に通信相手毎にその相手先情報のほか、自己の各電話番号を示す電話番号種別（１）、（２）に対応してその着信時にどのような内容で報知するかを示す報知情報が記憶管理されている状態において、ＣＰＵ１は、着信時にその通信相手先に応じた仕方で着信報知を行う場合に、この通信相手先に基づいてアドレス帳２１を検索し、現在有効な自己発信用の情報として選択されている電話番号対応の報知情報に基づいて着信報知を行うようにしたから、現在の利用環境に応じて適宜使い分けられている電話番号に応じて着信報知の仕方を変更することができ、着信時の利用環境に応じた最適な着信報知が可能となる。したがって、例えば、着信時にその相手先が同一人物であってもビジネス用の電話番号が選択されていれば、ビジネス用の着信報知を行い、プライベート用の電話番号が選択されていれば、プライベート用の着信報知を行うことができる。
【００４４】
ＣＰＵ１は、正規なユーザであることが認証されたことを条件に、自己の各電話番号の中から現在有効な電話番号をユーザ操作によって任意に選択可能としたから、例えば、複数の電話番号をビジネス用とプライベート用に使い分けている場合、第三者によって着信報知の仕方をビジネス用からプライベート用に変更されることを防ぐことができる。この場合、着信時に現在有効な電話番号が選択されているか否かを判別し、非選択の場合には、アドレス帳２１の内容に基づく着信報知を抑止するようにしたから、第三者による電話番号の選択を禁止することによって、例えば、着信時にその相手先の名前、相手先の画像などの個人情報を表示するような場合でも、ビジネス用、プライベート用の何れの着信報知も抑止することができ、相手先の個人情報を確実に保護することが可能となる。
【００４５】
アドレス帳２１は、電話番号種別（１）、（２）に対応付けて報知情報及びその相手先情報「名前」、「電話番号」、「メールアドレス」、「住所」、「画像」などを記憶管理し、このアドレス帳２１に対してその内容表示が指示された際に、現在有効番号として選択されている電話番号種別に基づいてアドレス帳２１を検索し、当該電話番号種別対応の相手先情報を読み出して表示出力させるようにしたから、１つのアドレス帳内にビジネス用の相手先情報とプライベート用の相手先情報とを設定しておいても、現在の利用環境に応じてビジネス用あるいはプライベート用の相手先情報を切り替え表示させることができる。
【００４６】
この場合、正規なユーザであることが認証されたことを条件に、発信用の電話番号をユーザ操作によって任意に選択可能であり、アドレス帳２１に対してその内容表示が指示された際に、ＣＰＵ１は、現在有効な電話番号が選択されているか否かを判別し、非選択の場合には、アドレス帳２１の内容表示を抑止するにしたから、第三者による電話番号の選択を禁止することによってアドレス帳２１の閲覧を抑制することができ、相手先の個人情報を確実に保護することが可能となる。
【００４７】
一方、自己の複数の電話番号で待ち受け可能な状態であると共に、予めアラーム時刻として設定されている設定時刻毎にスケジュール帳２２に、自己の各電話番号を示す電話番号種別（１）、（２）に対応して設定時刻にどのような内容で報知するかを示す報知情報が記憶管理されている状態において、ＣＰＵ１は、設定時刻に応じた仕方でアラーム報知を行う場合に、現在有効な自己発信用の情報として選択されている電話番号に対応する報知情報に基づいてアラーム報知を行うようにしたから、現在の利用環境に応じて適宜使い分けられている電話番号に応じてアラーム報知の仕方を変更することができ、設定時刻に到達した際の利用環境に応じた最適なアラーム報知が可能となる。したがって、例えば、アラーム報知時に同一の設定時刻であってもビジネス用の電話番号が選択されていれば、ビジネス用のアラーム報知を行い、プライベート用の電話番号が選択されていれば、プライベート用のアラーム報知を行うことができる。
【００４８】
また、スケジュール帳２２は、予めスケジュール時刻として設定されている設定時刻毎に、スケジュール内容を記憶管理すると共に、各電話番号種別（１）、（２）に対応付けてその設定時刻の到達時にどのような内容のメッセージを出力するかを示す報知情報を記憶管理し、設定時刻に到達した際に、ＣＰＵ１は、この設定時刻に基づいてスケジュール帳２２を検索することによって該当するメッセージ内容を出力するようにしたから、設定時刻に出力されるメッセージ内容を電話番号の選択に応じて変更することことができる。
【００４９】
なお、上述した実施例においては、自己の通信識別情報として「電話番号」の場合を説明したが、自己の通信識別情報を「メールアドレス（Ｅメール／Ｃ／メール）」としても同様に適用可能である。自己の通信識別情報は、２つに限らず、３つ以上であってもよい。
また、上述した実施例においては、パスワード入力によってユーザ認証を行うようにしたが、指紋照合、掌照合、虹彩照合などによってユーザ認証を行うようにしてもよい。
【００５０】
また、報知内容としては、メロディ音、サイレント音、名前、顔画像、バイブレーション、メッセージ表示などのほか、光点滅、色彩変化などであってもよい。
その他、携帯電話装置に限らず、例えば、電話機能／通信機能付きのＰＤＡ、電子カメラ、電子腕時計、音楽再生機などの携帯端末装置であっても同様に適用可能である。
【図面の簡単な説明】
【００５１】
【図１】携帯端末装置として適用した携帯電話装置の基本的な構成要素を示したブロック図。
【図２】アドレス帳２１のデータ構成（相手先レコードの構成）を示した図。
【図３】スケジュール帳２２のデータ構成（スケジュールレコードの構成）を示した図。
【図４】自己の通信識別情報を電話番号とした場合における携帯電話装置の全体動作の概要を示したフローチャート。
【図５】図４に続く、フローチャート。
【図６】図５に続く、フローチャート。
【図７】図４に続く、フローチャート。
【図８】アドレス帳２１内の「名前」を一覧表示した画面を示し、（Ｂ）、（Ｃ）は、アドレス帳２２内のデータを一覧表示した画面を示した図。
【符号の説明】
【００５２】
１  ＣＰＵ
２  記憶部
３  記録メディア
５  電話通信部
１０、１１  表示部
１２  キー操作部
１３  報知部
１４  カードＩＦ部
１５、１６  ＵＩＭカード
２１  アドレス帳
２２  スケジュール帳
【図１】
0004569902.tif 000002
【図２】
0004569902.tif 000003
【図３】
0004569902.tif 000004
【図４】
0004569902.tif 000005
【図５】
0004569902.tif 000006
【図６】
0004569902.tif 000007
【図７】
0004569902.tif 000008
【図８】
0004569902.tif 000009